(57)【要約】【課題】ネギ等の作物を栽培して葉鞘を確実に白色化させ作物の品質を高めための高畝を成形（整形）するのに適した畝成形機について、成形板の駆動を伝達する押圧力伝達機構を小型にし、成形板の駆動の動力を無駄に使用することなく畝の法面の上部側の崩れを確実に防止する。【解決手段】畝間の溝を耕耘して培土を畝の法面に跳揚げるロータ３と、跳揚げられた培土を含めて畝の法面を押圧する成形板５とを備えている。成形板５は、畝の法面の中途部から上部側に延びる長さを有して畝に対して起伏動するように下部が機体１にヒンジ９で支持されている。原動機７の動力取出軸１１に連結されて成形板５に押圧力を加える押圧力伝達機構１２は、動力取出軸１１よりも上方に配設されて成形板５の上部に連結されている。【選択図】  図１
2010022337.tif 000002
【特許請求の範囲】
【請求項１】
畝間の溝を耕耘して培土を畝の法面に跳揚げるロータと、跳揚げられた培土を含めて畝の法面を押圧する成形板とを備えた畝成形機において、成形板は畝の法面の中途部から上部側に延びる長さを有して畝に対して起伏動するように下部が機体にヒンジで支持され、原動機の動力取出軸に連結されて成形板に押圧力を加える押圧力伝達機構は動力取出軸よりも上方に配設されて成形板の上部に連結されていることを特徴とする畝成形機。
【請求項２】
請求項１の畝成形機において、成形板の上部に畝の頂部を押圧する補助成形板が取付けられていることを特徴とする畝成形機。
【請求項３】
請求項１または２の畝成形機において、成形板を支持するヒンジは畝間方向への位置調整を可能にする位置調整機構が設けられていることを特徴とする畝成形機。
【請求項４】
請求項１〜３のいずれかの畝成形機において、押圧力伝達機構は原動機の動力取出軸に連結されるアーム部と成形板に連結されるアーム部とに長さ調整を可能にする長さ調整機構が設けられていることを特徴とする畝成形機。
【請求項５】
請求項１〜４のいずれかの畝成形機において、成形板よりも前方に突出するように機体に支持されて畝に植生して畝間に垂れている作物を押上げるデバイダを備えていることを特徴とする畝成形機。
【発明の詳細な説明】
【技術分野】
【０００１】
本発明は、ネギ等の作物を栽培する高畝を成形（整形）するのに適した畝成形機に係る技術分野に属する。
【背景技術】
【０００２】
ネギ（根深ネギ，関東ネギ等）の栽培では、成長に対応して葉鞘の周囲に培土を盛上げて葉鞘への日光の照射を遮断することで、葉鞘を白色化させることが行われる。従って、ネギが栽培される畝は、成長に伴って盛土の高さが相当に高くなる高畝となる。
【０００３】
畝を維持管理する作業機（管理機）である畝成形機としては、畝間の溝をロータで耕耘して培土を畝の法面（側面）に跳揚げ、法面に跳揚げられた培土を成形板で押圧（打圧）するものがある。然しながら、この畝成形機を高畝に使用すると、高畝の法面の上部側への成形板の押圧が充分に行われないため、高畝の法面の上部側が崩れやすいという不具合が生じてしまう。このため、高畝の法面の上部側の崩れを確実に防止することのできる畝成形機の開発が要望されている。
【０００４】
従来、高畝の法面の上部側の崩れを確実に防止することを指向した畝成形機としては、例えば、以下に記載のものが知られている。
【特許文献１】特許第３８５７８８６号公報  特許文献１には、畝間の溝を耕耘して培土を畝の法面に跳揚げるロータと、跳揚げられた培土を含めて畝の法面を押圧する成形板とを備え、成形板は畝の下部側から上部側まで届くように上下方向に長く延びて上下方向の２箇所で押圧力が加えられる畝成形機が記載されている。
【０００５】
特許文献１に係る畝成形機は、成形板で畝の法面の上部側，下部側を均等に叩くようにして押圧することで、結果的に畝の法面の上部側を固めて崩れを確実に防止しようとするものである。
【発明の開示】
【発明が解決しようとする課題】
【０００６】
特許文献１に係る畝成形機では、上下方向に長く延びた成形板に対して上下方向の２箇所で押圧力を加えるため、押圧力を伝達する押圧力伝達機構が大型化してしまうという問題点がある。また、畝の法面の相対的に固く締められている下部側をも上部側と均等に押圧するため、動力を無駄に使用してしまうことになるという問題点がある。
【０００７】
本発明は、このような問題点を考慮してなされたもので、成形板の駆動を伝達する押圧力伝達機構が小型で成形板の駆動動力を無駄に使用することなく畝の法面の上部側の崩れを確実に防止することのできる畝成形機を提供することを課題とする。
【課題を解決するための手段】
【０００８】
前述の課題を解決するため、本発明に係る畝成形機は、特許請求の範囲の各請求項に記載の手段を採用する。
【０００９】
即ち、請求項１では、畝間の溝を耕耘して培土を畝の法面に跳揚げるロータと、跳揚げられた培土を含めて畝の法面を押圧する成形板とを備えた畝成形機において、成形板は畝の法面の中途部から上部側に延びる長さを有して畝に対して起伏動するように下部が機体にヒンジで支持され、原動機の動力取出軸に連結されて成形板に押圧力を加える押圧力伝達機構は動力取出軸よりも上方に配設されて成形板の上部に連結されていることを特徴とする。
【００１０】
この手段では、成形板を起伏動させて畝の法面の上部側のみを押圧することで、畝の法面の崩れやすい上部ほど押圧力を強く作用させることができる。また、押圧力伝達機構が原動機の動力取出軸よりも上方に配設されて成形板の上部に連結されることで、押圧力伝達機構の動作域が原動機の動力取出軸の上方にコンパクトに集合される。
【００１１】
また、請求項２では、請求項１の畝成形機において、成形板の上部に畝の頂部を押圧する補助成形板が取付けられていることを特徴とする。
【００１２】
この手段では、成形板の上部に補助成形板を取付けることで、畝の法面の上部側と畝の頂部とを同時に押圧することができる。
【００１３】
また、請求項３では、請求項１または２の畝成形機において、成形板を支持するヒンジは畝間方向への位置調整を可能にする位置調整機構が設けられていることを特徴とする。
【００１４】
この手段では、成形板の起伏動の支点となるヒンジに位置調整機構が設けられることで、畝間距離に対応して成形板を配置することができる。
【００１５】
また、請求項４では、請求項１〜３のいずれかの畝成形機において、押圧力伝達機構は原動機の動力取出軸に連結されるアーム部と成形板に連結されるアーム部とに長さ調整を可能にする長さ調整機構が設けられていることを特徴とする。
【００１６】
この手段では、押圧力伝達機構のアーム部に長さ調整機構が設けられることで、押圧力伝達機構の動作域を可変して成形板の起伏動の角度を調整することができる。
【００１７】
また、請求項５では、請求項１〜４のいずれかの畝成形機において、成形板よりも前方に突出するように機体に支持されて畝に植生して畝間に垂れている作物を押上げるデバイダを備えていることを特徴とする。
【００１８】
この手段では、畝に植生して畝間に垂れている作物を押上げるデバイダを成形板よりも前方に突出するように備えることで、法面の上部側に跳上げられた培土が作物が邪魔になって落下したり、成形板による畝の法面の上部側の押圧の際に作物を法面の上部側に押付けたりするのを避けることができる。
【発明の効果】
【００１９】
本発明に係る畝成形機は、成形板を起伏動させて畝の法面の上部側のみを押圧することで、畝の法面の崩れやすい上部ほど押圧力を強く作用させることができるため、成形板の駆動の動力を無駄に使用することなく畝の法面の上部側の崩れを確実に防止することができる効果がある。また、押圧力伝達機構が原動機の動力取出軸よりも上方に配設されて成形板の上部に連結されることで、成形板の駆動を伝達する押圧力伝達機構の動作域が原動機の動力取出軸の上方に集合されるため、押圧力伝達機構が小型となる効果がある。
【００２０】
さらに、請求項２として、成形板の上部に補助成形板を取付けることで、畝の法面の上部側と畝の頂部とを同時に押圧することができるため、２方向からの押圧で畝の成形を確実に実行して、畝の法面の上部側の崩れをより確実に防止することができる効果がある。
【００２１】
さらに、請求項３として、成形板の起伏動の支点となるヒンジに位置調整機構が設けられることで、畝間距離に対応して成形板を配置することができるため、法面の上部側の傾斜に対応しない成形板の起伏動で畝の法面の上部側を損壊してしまうようなことを避けることができる効果がある。
【００２２】
さらに、請求項４として、押圧力伝達機構のアーム部に長さ調整機構が設けられることで、押圧力伝達機構の動作域を可変して成形板の起伏動の角度を調整することができるため、畝の法面の上部側の傾斜角度に対応して成形板の起伏動の角度を調整して、法面の上部側の傾斜に対応しない成形板の起伏動で畝の法面の上部側を損壊してしまうようなことを避けることができる効果がある。
【００２３】
さらに、請求項５として、畝に植生して畝間に垂れている作物を押上げるデバイダを成形板よりも前方に突出するように備えることで、法面の上部側に跳上げられた培土が作物が邪魔になって落下したり、成形板による畝の法面の上部側の押圧の際に作物を法面の上部側に押付けたりするのを避けることができるため、畝の成形を確実に実行して、畝の法面の上部側の崩れをより確実に防止することができるとともに、作物を無用に損傷することがない効果がある。
【発明を実施するための最良の形態】
【００２４】
以下、本発明に係る畝成形機を実施するための最良の形態を図面に基づいて説明する。
【００２５】
この形態では、ネギを栽培する高畝を成形するのに適した非乗用タイプのものを示してある。
【００２６】
この形態は、図１に示すように、機体１に前方側から補助走行輪（尾輪）２，ロータ３，走行輪４が配置され、ロータ３，走行輪４の間の上方に成形板５が配置された構成になっている。
【００２７】
補助走行輪２は、走行方向を案内するとともに耕深のゲージ機能をも奏するもので、機体１に支持されて耕深を調整するハンドル６の下端部に回転可能に支持されている。
【００２８】
ロータ３は、畝間の溝底や法面Ｓの下部側Ｓａの下隅部分を耕耘して培土を主に法面Ｓの上部側Ｓｂにまで跳揚げるもので、回転軸３ａと回転軸３ａに放射状に連結された複数本のなた刃３ｂとからなる。
【００２９】
走行輪４は、原動機７等の重量を支えて走行するもので、原動機７から適当な経路でロータ３等とともに回転駆動される。
【００３０】
成形板５は、機体１の両側面に位置することになる畝の法面Ｓに対面するように配置され、畝の法面Ｓの中途部（下部側Ｓａとの境目当たり）から上部側Ｓｂに延びる長さを有し、金属板５ａの外面（畝側）に培土の付着を防止する合成樹脂板５ｂが積層され、金属板５ａの上部に後述の押圧力伝達機構１２が連結される軸受５ｃが固定されている。
【００３１】
この成形板５は、下部が機体１に取付けられた支持枠８にヒンジ９で支持され、畝の法面Ｓの上部側Ｓｂに対して起伏動されるようになっている。
【００３２】
支持枠８は、走行輪４の上部またはこれより高い位置で機体１に固定され畝間方向へ突出された固定片８ａと、く字形に形成されて固定片８ａの下面に当接され外側斜め下方に突出された可動片８ｂと、固定片８ａに可動片８ｂを固定するボルト，ナット等の締付具８ｃと、固定片８ａに畝間方向へ延びるスリット，長孔として開口されて締付具８ｃが挿通される締付具位置調整孔８ｄとからなる。ヒンジ９は、支持枠８の可動片８ｂの下端外側面に取付けられている。従って、支持枠８は、図４に示すように、締付具位置調整孔８ｄの長さａの範囲内で締付具８ｃの締付け位置（可動片８ｂの固定片８ａへの当接位置）を調整することを可能にして、ヒンジ９の畝間方向への位置調整を可能にする位置調整機構を構成していることになる。ヒンジ９の位置調整機構は、畝間距離に対応して成形板５の起伏動の支点を移動させて配置することができ、法面Ｓの上部側Ｓｂの傾斜に対応しない成形板５の起伏動で畝の法Ｓ面の上部側Ｓｂを損壊してしまうようなことを避けることができる。
【００３３】
また、成形板５の上部には、補助成形板１０が取付けられている。
【００３４】
補助成形板１０は、成形板５の金属板５ａに支持されて成形板５の上縁を跨ぐように外側に突出された支持アーム１０ａと、支持アーム１０ａの先端部に取付けられたく字形の押圧部１０ｂとからなる。押圧部１０ｂは、成形板５が起伏動して法面Ｓの上部側Ｓｂを押圧する際に畝の頂部Ｔを押圧するように位置設定されている。従って、補助成形板１０は、畝の法面Ｓの上部側Ｓｂと畝の頂部Ｔとを同時に押圧することを可能にして、２方向からの押圧で畝の成形を確実に実行して、畝の法面Ｓの上部側Ｓｂの崩れをより確実に防止することができるようにする。
【００３５】
また、成形板５と原動機７の動力取出軸１１との間の動力取出軸１１の上方の空間には、押圧力伝達機構１２が配設されている。
【００３６】
押圧力伝達機構１２は、原動機７の動力取出軸１１に取付けられた回転軸受１２ａと、一端部が第１の連結軸１２ｂを介して回転軸受１２ａに連結された他端部が第２の連結軸１２ｃを介してＶ字形クランク１２ｄの一方の板片に連結された第１のアーム部１２ｅと、一端部が第３の連結軸１２ｆを介してＶ字形クランク１２ｄの他方の板片に連結され他端部が第４の連結軸１２ｇを介して成形板５の軸受５ｃに連結された第２のアーム部１２ｈとからなる。なお、Ｖ字形クランク１２ｄの両板片の交点に位置する基軸１２ｉは、成形板５の前方に成形板５と直交するように配置された泥除カバーの機能を奏する前板１３に支持されている。第１のアーム部１２ｅ，第２のアーム部１２ｈは、ネジ棒１２ｅａ，１２ｈａとネジ棒１２ｅａ，１２ｈａが螺合挿通されるナット付パイプ１２ｅｂ，１２ｈｂとからなる。従って、第１のアーム部１２ｅ，第２のアーム部１２ｈは、図５に示すように、ナット付パイプ１２ｅｂ，１２ｈｂの回転によって長さｂ，ｃ，ｄが調整される長さ調整機構を構成している。第１のアーム部１２ｅ，第２のアーム部１２ｈの長さ調整機構は、押圧力伝達機構１２の動作域を可変して成形板５の起伏動の角度を調整することができ、畝の法面Ｓの上部側Ｓｂの傾斜角度に対応して成形板５の起伏動の角度を調整して、法面Ｓの上部側Ｓｂの傾斜に対応しない成形板５の起伏動で畝の法Ｓ面の上部側Ｓｂを損壊してしまうようなことを避けることができる。
【００３７】
さらに、この形態では、ハンドル６にデバイダ１４が支持されている。
【００３８】
デバイダ１４は、成形板５よりも前方に突出されたパイプ材からなるもので、畝に植生して畝間に垂れている作物Ｐを押上げるものである。このデバイダ１４は、法面Ｓの上部側Ｓｂに跳上げられた培土が作物Ｐが邪魔になって落下したり、成形板５による畝の法面Ｓの上部側Ｓｂの押圧の際に作物Ｐを法面Ｓの上部側Ｓｂに押付けたりするのを避けることができ、畝の成形を確実に実行して、畝の法面Ｓの上部側Ｓｂの崩れをより確実に防止することができるとともに、作物Ｐを無用に損傷することをなくすことができる。
【００３９】
この形態によると、成形板５を均等な叩き動作ではなく起伏動させて畝の法面Ｓの上部側Ｓｂのみを押圧することで、畝の法面Ｓの崩れやすい上部ほど押圧力を強く作用させることができる。従って、動力が効率的に押圧力に変換され、動力を無駄に使用することなく畝の法面の上部側の崩れを確実に防止することができる。この結果、畝を維持管理のコストが低減されるとともに、作物Ｐの葉鞘を確実に白色化させて作物Ｐの品質を高めることができる。
【００４０】
また、押圧力伝達機構１２が原動機７の動力取出軸１１よりも上方に配設されて成形板５の上部に連結されている。従って、押圧力伝達機構１２の動作域がヒンジ９で支持枠８に支持されて余裕空間のない原動機７の動力取出軸１１の下方を避けて上方にコンパクトに集合されるため、押圧力伝達機構１２が小型となる。この結果、狭い畝間での作業が容易になる。
【００４１】
以上、図示した形態の外に、押圧力伝達機構１２を他のクランク構造とすることも可能である。
【００４２】
さらに、乗用タイプに適用することも可能である。
【００４３】
さらに、支持枠８に高さ調整機能を備えて、ヒンジ９の高さを調整するようにすることもできる。
【産業上の利用可能性】
【００４４】
本発明に係る畝成形機は、ネギのみならずホワイトアスパラガス等が栽培される高畝を維持管理する場合にも使用が可能である。
【図面の簡単な説明】
【００４５】
【図１】本発明に係る畝成形機を実施するための最良の形態の正面である。
【図２】図１の要部の拡大された側面図である。
【図３】図１の要部の拡大図である。
【図４】図３の要部の拡大図である。
【図５】図３の他の要部の拡大図である。
【符号の説明】
【００４６】
１          機体
２          補助走行輪（尾輪）
３          ロータ
４          走行輪
５          成形板
７          原動機
８          支持枠（位置調整機構）
９          ヒンジ
１０        補助成形板
１１        動力取出軸
１２        押圧力伝達機構
１２ｅ      第１のアーム部（長さ調整機構）
１２ｈ      第２のアーム部（長さ調整機構）
Ｓ          法面
Ｓｂ        上部側
Ｔ          頂部
【図１】
2010022337.tif 000003
【図２】
2010022337.tif 000004
【図３】
2010022337.tif 000005
【図４】
2010022337.tif 000006
【図５】
2010022337.tif 000007